(57)【特許請求の範囲】
【請求項１】
プラスチックシートあるいは薄板からなる一体成形容器であって、前記一体成形容器の外側面の周面に凸条を形成し、前記凸条の長手方向の中央部分が前記凸条の端部よりも高く形成されている食品用簡易容器。
【請求項２】
プラスチックシートあるいは薄板からなる一体成形容器であって、前記一体成形容器の外側面の周面に凸条を形成し、前記凸条の長手方向の中央部分が前記凸条の端部よりも高く形成されている容器を内面周面に凹条を形成した発泡プラスチック枠材の内面にセットして、前記容器の外周面に形成した凸条を前記発泡プラスチック枠材の内面周面に形成した凹条に嵌着した食品用簡易容器。
【発明の詳細な説明】
【０００１】
【発明の属する技術分野】
本発明は、主として、弁当、そう菜、寿司その他の加工食品を持ち帰るために使用するプラスチック製の食品用簡易容器に関する。
【０００２】
【従来の技術】
このような簡易容器として、プラスチックの薄板を真空成形して得た底板を発泡プラスチック製の枠材の下面に融着したものがあり、これは比較的強度が高く、また、見栄えも良いことから現在、広く用いられている。
【０００３】
ところが、この簡易容器は、分解や折り畳みもできないことから、非常に嵩ばり、その流通上の効率の悪さが欠点であった。
【０００４】
本願出願人はこの従来の簡易容器の欠点を解消するために、プラスチックの薄板製の底板を容器状に深く成型し、これを容器状とし、その上縁を外側に広げ、その下面を発泡プラスチック製の枠材の上縁面に融着した構造のものを先に開示した。
【０００５】
この内容器の上縁を縁枠の上縁面に融着した構造のものは、その強度を内容器と枠とで維持するようになるので、内容器の高さ以下にして、枠の下縁高さを内容器の底面レベルよりも上方に位置することができる。そのため、重なり合わせて搬送するとき、内容器部分は上下の容器の枠内に収まり、全体の嵩高さは低くなり、流通の効率は向上するという利点がある。
【０００６】
【発明が解決しようとする課題】
本発明の課題は、このような内容器状底板を有する簡易容器の発展利用を図り、さらに、底板と枠との融着その他の接合作業を不要にする食品用簡易容器を得ることにある。
【０００７】
【課題を解決するための手段】
本発明は、上記食品用簡易容器の内容器が保形性さえ十分であれば、それだけでも十分に簡易容器として使用に耐えうるものとなるという知見を得て完成した。
【０００８】
すなわち、本発明は、プラスチックシートあるいは薄板からなる一体成形容器であって、前記一体成形容器の外側面の周面に凸条を形成し、前記凸条の長手方向の中央部分が前記凸条の端部よりも高く形成されていることを特徴とする。これによって、容器自体の強度が維持でき種々の加工食品の収納に充分に耐えうる食品容器が得られる。
【０００９】
また、前記一体成形容器の外側面の周面に凸条を形成し、前記凸条の長手方向の中央部分が前記凸条の端部よりも高く形成されている容器を内面周面に凹条を形成した発泡プラスチック枠材の内面にセットして、前記容器の外周面に形成した凸条を前記発泡プラスチック枠材の内面周面に形成した凹条に嵌着することによって、従来の枠と内容器とを融着した構造の簡易容器に代わる容器を得ることができる。
【００１０】
【発明の実施の形態】
以下に、本発明の容器の実施の形態を実施例に基づいて説明する。
【００１１】
実施例１
この実施例は真空成型体を本発明の容器とした例を示す。その外観を示す図１において、容器１０は、平均厚み０．４ｍｍのポリスチレンシートの真空成型体であって、その上縁１は、図１をＩ−Ｉ線から見た断面構造を示す図２のように、外方に延出し断面がコの字状に成形されている。この上縁１は、この図示するような形態を採る必要はなく、巻き込み形、あるいは内方に曲げる等の任意の形態とすることができる。２は側壁３のほぼ半分より上方位置に外方に突出してその全外周面に形成した凸条を示す。この凸条２は、必ずしも外面に設ける必要はなく内面に設けることもでき、この薄いプラスチックシートからなる一体成形容器の捻れを防止し強化する機能を有する。この凸条２による強化機能は、図１をＩＩ−ＩＩ線から見た図３に示すような形態を採ることによってさらに向上する。この図は説明の都合上その特徴を強調している。同図に示すように、その凸条の高さｈは、側壁３の中央部分４を高く形成し、端部を低く形成している。その高さは、通常の場合、中央部分で２ｍｍもあれば充分である。この凸条２は、必ずしも全周囲に設ける必要はなく、容器１０の相対する両側壁３に設けるだけでも充分に保形強度が得られる。その際には、相対する両長辺に設けるのがよい。また、この容器１０の一体成型手段としては、プラスチックシートの真空成型による他に、射出成形による手段を採用できる。図４はこの射出成形によって得た一体成形容器１０の側壁断面を示す。同図に示すように、この射出成形による場合、凸条２を外側に設けても、食品が収納される内面側には凹部が形成されることがない。
【００１２】
実施例２
図５は、実施例１の図１に示す容器１０を内容器とし、この内容器１０を発泡プラスチック製の枠５に取り付けた容器２０の例を示す。この容器２０は、従来の融着のような接合工程を要することなく、内容器１０を枠５内に落とし込み、それぞれに形成された凹凸を嵌着することで一体化された複合容器２０を得ることができる。図６はその嵌着の態様を図５のＩＩＩ−ＩＩＩ線からの断面図である。
【００１３】
また、図７は、容器２０の組立て状態を示す図である。同図において、発泡プラスチック製の枠５は、内容器１０のコの字形の上縁１を勘合し、しかも、嵌合後、嵌合した上縁１の外面１１が枠５の外面６と面一になるように、枠５の嵌合部分の外面は内容器の上縁１の厚みに相当する切り込み７が設けられている。８は、枠５の内面周囲に設けられた条溝であって、内容器１０の外周に形成された凸条２と嵌合する。そして、枠５の内容積、高さ、巾、それに、内周面の条溝８の深さと巾は、内容器１０の外容積、上縁の巾１１、凸条２に合わせて調成されている。
【００１４】
内容器１０と枠５との組立てに際しては、図７の矢印に示すように、内容器１０を枠５内に上方向から挿入し、内容器１０の凸条２を枠５の条溝８内に装着することによって、強固な組み立て体とすることができる。そして、係る組立に際しては、図３に示すように、内容器１０の外周面に形成された凸条２は、各側面のコーナー部は低く、また、中央部が高く形成されているので、内容器１０に各縁の中央部のみを軽く押しつけることによって、枠５の条溝８内に嵌合するので、組立に際しての機械化の適用も比較的簡単に行うことができる。
【００１５】
【発明の効果】
（１）極めて薄い一体成形のプラスチック容器の強度を上げることができ、そのまま食品容器に供することができる。
【００１６】
（２）融着工程なしで外見的に従来の簡易容器と同じ容器を簡単な工程で製造できる。
（３）縁材を設けることによって断熱効果とレンジアップした後の保温効果を持たせることができる。
【図面の簡単な説明】
【図１】本発明の一体成形容器の外観を示す。
【図２】図１のＩ−Ｉ線から見た断面構造を示す。
【図３】図１のＩＩ−ＩＩ線から見た断面構造を示す。
【図４】射出成形によって得た一体成形容器の断面構造を示す。
【図５】本発明を組み立て容器に適用した実施例を示す。
【図６】図５のＩＩＩ−ＩＩＩ線から見た断面構造を示す。
【図７】図５に示す容器の組立の態様を示す図である。
【符号の説明】
１  上縁      ２  凸条      ３  側壁      ４  凸条の中央部分
５  枠      ６    枠外面      ７  枠の嵌合部分      ８  枠の条溝
１０  一体成形容器      １１  上縁の巾      ２０  組立容器
【図１】
0003580522.tif 000002
【図２】
0003580522.tif 000003
【図３】
0003580522.tif 000004
【図４】
0003580522.tif 000005
【図５】
0003580522.tif 000006
【図６】
0003580522.tif 000007
【図７】
0003580522.tif 000008